(57)【特許請求の範囲】
【請求項１】
著作権保護が行われるデジタル信号を含むコンテンツが記録された記録媒体であって、
上記デジタル信号の伝送フレームのヘッダ内には著作権保護情報が設けられ、該著作権保護情報によって、デジタル記録機器に入力される上記デジタル信号の記録が制限されてなり、
上記著作権保護情報は、上記デジタル信号がコピー可能であることを上記デジタル記録機器に指示するためのコピーフリーの状態を示す情報と、上記伝送される伝送フレームのコンテンツ内に含まれる著作権情報に従ってコピーマネジメントを行うよう上記デジタル記録機器に指示を行うための情報とを含むことを特徴とする記録媒体。
【請求項２】
デジタルインターフェースを備え、上記デジタルインターフェースを介して入力されるデジタル信号のコンテンツ内に含まれる著作権情報に従う処理をハードウェアで実行しないデジタル記録機器であって、
上記デジタルインターフェースを介して入力されるデジタル信号の伝送フレームの伝送ヘッダ内に設けられた著作権保護情報を検出する手段と、
上記著作権保護情報が上記デジタル信号をコピーフリーであると示している場合には伝送フレームを取り込む取り込む手段と、
上記著作権保護情報がコピーフリーを示す状態である場合のみ上記伝送フレームをデジタル記録信号処理部に供給する切替部を有するデジタル記録機器。
【請求項３】
デジタルインターフェースを備え、上記デジタルインターフェースを介して入力されるデジタル信号のコンテンツ内に含まれる著作権情報に従う処理をハードウェアで実行するデジタル記録機器であって、
上記著作権保護情報により、上記伝送フレームのコンテンツに含まれている著作権情報に従うように指示されているか検知する処理ブロックと、
該指示が行われている場合には、上記伝送用ヘッダの信号フォーマット種別情報をもとに上記コンテンツ内の上記著作権情報を獲得するブロックとを有するデジタル記録機器。
【請求項４】
デジタルインターフェースを備え、上記デジタルインターフェースを介して入力される上記デジタル信号のコンテンツ内に含まれる著作権情報に従う処理を実行しないデジタル記録機器に搭載され、上記デジタルインターフェースのリンク層を制御するための制御用ＩＣであって、
上記デジタルインターフェースを介して入力されるデジタル信号の伝送フレームの伝送ヘッダ内に設けられた著作権保護情報を検出する手段と、
上記著作権保護情報が上記デジタル信号をコピーフリーであると示している場合には伝送フレームを取り込む手段とを有し、上記デジタル記録機器に対して記録処理を指示することを特徴とする制御用ＩＣ。
【請求項５】
デジタルインターフェースを備え、上記デジタルインターフェースを介して入力される上記デジタル信号のコンテンツ内に含まれる著作権情報に従う処理を実行するデジタル記録機器に搭載され、上記デジタルインターフェースのリンク層を制御するための制御用ＩＣであって、
上記デジタルインターフェースを介して入力されるデジタル信号の伝送フレームの伝送ヘッダ内に設けられた著作権保護情報を検出する手段と、
上記著作権保護情報が上記デジタル信号をコピーフリーであると示している場合には伝送フレームを取り込む手段と、
上記著作権保護情報により、上記伝送フレームのコンテンツに含まれている著作権情報に従うように指示されているか検知する処理ブロックと、
該指示が行われている場合は、上記伝送用ヘッダの信号フォーマット種別情報をもとに上記コンテンツ内の上記著作権情報を獲得するブロックとを有し、上記デジタル記録機器に対して記録処理を指示することを特徴とする制御用ＩＣ。
【発明の詳細な説明】
【０００１】
【発明の属する技術分野】
本発明は、例えばＩＥＥＥ１３９４フォーマットに準拠するデジタルインターフェースを備えたデジタルビデオカセットレコーダ（以下ＤＶＣＲという）等の記録機器やコンピューター等において著作権情報を処理する技術に関する。
【０００２】
【従来の技術】
ビデオ信号やオーディオ信号をデジタル化して記録／再生する民生用のＤＶＣＲが既に商品化されている。そして、このＤＶＣＲはビデオ信号及びオーディオ信号をデジタルのまま入出力するデジタルインターフェースを備えている。つまり、このデジタルインターフェースを備えたＤＶＣＲ間では、デジタルダビングが可能となる。
【０００３】
【発明が解決しようとする課題】
前述したデジタルインターフェースはＩＥＥＥ１３９４に準拠するものである。ＩＥＥＥ１３９４におけるオーディオ・ビデオ信号伝送プロトコルでは、デジタルインターフェースは信号をトランスペアレントに伝送するもので、著作権の保護に関しては送信側の機器あるいは受信側の記録機器で対処するという考えに基づいている。このため、デジタルインターフェース上の信号に著作権情報を付加して送るということはしていない。
【０００４】
デジタルインターフェースで送られるコンテンツには、大きく分けて動画像信号とその他の信号（コンピュータのデータやプログラム等）の２種類ある。動画像信号の場合には、コンピュータ等を含めたすべての機器でコピーマネジメントを行う必要がある。しかし、コンピュータのようにソフトウェアでデータの書換えが可能な場合、コピーマネジメントの情報そのものも書き換えられてしまうことが考えられる。
【０００５】
本発明はこのような問題点に鑑みてなされたものであって、コンピュータのようにコピーマネジメント情報の操作が可能な機器は、コピーフリーの信号以外はデジタルインターフェースからデータを取り込むことができないようにすることを目的とする。
【０００６】
【課題を解決するための手段】
本発明に係る記録媒体は、著作権保護が行われるデジタル信号を含むコンテンツが記録された記録媒体であって、上記デジタル信号の伝送フレームのヘッダ内には著作権保護情報が設けられ、該著作権保護情報によって、デジタル記録機器に入力される上記デジタル信号の記録が制限されてなり、上記著作権保護情報は、上記デジタル信号がコピー可能であることを上記デジタル記録機器に指示するためのコピーフリーの状態を示す情報と、上記伝送される伝送フレームのコンテンツ内に含まれる著作権情報に従ってコピーマネジメントを行うよう上記デジタル記録機器に指示を行うための情報とを含むことを特徴とする。
【０００８】
本発明に係るデジタル記録機器は、デジタルインターフェースを介して入力されるデジタル信号の伝送フレームの伝送ヘッダ内に設けられた著作権保護情報を検出する手段と、上記著作権保護情報が上記デジタル信号をコピーフリーであると示している場合には伝送フレームを取り込む手段とを有し、記録処理を可能となすことを特徴とするものである。
【０００９】
本発明に係る制御用ＩＣは、デジタルインターフェースを備えたデジタル記録機器に搭載され、上記デジタルインターフェースのリンク層を制御するための制御用ＩＣであって、上記デジタルインターフェースを介して入力されるデジタル信号の伝送フレームの伝送ヘッダ内に設けられた著作権保護情報を検出する手段と、上記著作権保護情報が上記デジタル信号をコピーフリーであると示している場合には伝送フレームを取り込む手段とを有し、上記デジタル記録機器に対して記録処理を指示することを特徴とするものである。
【００１０】
本発明によれば、デジタル記録機器に対して伝送されるデジタル信号の伝送フレームの伝送ヘッダ内に著作権保護情報を設ける。この著作権保護情報には、上記デジタル信号がコピー可能であることを上記デジタル記録機器に指示するためのコピーフリーの状態を示す情報と、上記伝送される伝送フレームのコンテンツ内に含まれる著作権情報に従ってコピーマネジメントを行うよう上記デジタル記録機器に指示を行うための情報とが含まれている。このデジタル信号を入力したデジタル記録機器は、前記著作権保護情報が上記デジタル信号をコピーフリーであると示している場合には伝送フレームを取り込んで、記録処理を可能となす。
【００１１】
【発明の実施の形態】
以下本発明の実施の形態について図面を参照しながら詳細に説明する。
【００１２】
ここでは、ＣＧＭＳ−Ｄ（Ｃｏｐｙ  Ｇｅｎｅｒａｔｉｏｎ  Ｍａｎａｇｅｍｅｎｔ  Ｓｙｓｔｅｍ−Ｄｉｇｉｔａｌ）方式により著作権情報の管理が行われて供給されるコンテンツ（例えば衛星放送から送信される映画や番組等のソフトや、レンタルビデオやビデオソフトとして販売されるビデオテープやビデオディスクなどの媒体から再生されるソフト等）を対象とする。このＣＧＭＳ−Ｄの方式で定義された管理情報に基づき、著作権保護管理が可能な機種をＣＧＭＳ対応機種、管理する機能が備わっていない機種をＣＧＭＳ非対応機種と呼ぶ。
【００１３】
ＣＧＭＳ−Ｄ方式では、３種類のコードでその著作権管理状態を示す。「００」である場合は、そのコンテンツはコピーフリーであり、「１１」である場合は、そのコンテンツはコピー不可である。また「１０」である場合は、そのコンテンツは一回のみコピー可能であることを示す。
【００１４】
上記ＣＧＭＳ対応機種は、上記コード「００」を利用して「記録しようとしているコンテンツが動画像信号でコピー不可であることを検知したら記録を行わない」処理を機器内のハードウェアで行う。また、上記コード「１０」を利用して「記録しようとしているコンテンツが動画像信号でコピー１回可能であることを検知したらコピー不可のフラグに変更を行い、記録する」処理を行う。
【００１５】
上記ＣＧＭＳ非対応機種はこのような処理を行う機能が備わっていない。なお、その機器自体ではＣＧＭＳコードのチェックは行わないが、そこに組み込まれているドライバーソフトでチェックを行うような装置は、ＣＧＭＳ対応機種には含まれない。つまりコンピュータ装置のようにソフトウェアによってＣＧＭＳへの対応状況が変化する装置は、ＣＧＭＳ非対応機種とする。
【００１６】
図１に本発明を適用したシステムの動作を示す。図１（ａ）は再生機１とＣＧＭＳ対応記録機２とをＩＥＥＥ１３９４シリアルバス３で接続したものであり、図１（ｂ）は再生機１とＣＧＭＳ非対応記録機４とをＩＥＥＥ１３９４シリアルバスで接続したものである。ここで、再生機とは、前述したＤＶＣＲだけではなく、デジタルテレビ放送を受信し、デジタルビデオ信号及びデジタルオーディオ信号をＩＥＥＥ１３９４シリアルバスに出力する機能を有するデジタルテレビチューナーやデジタルテレビジョン受像機を含むものである。
【００１７】
図１（ａ）に示すように、記録機がＣＧＭＳ対応の場合には伝送された信号を取り込むことができ、記録機２でコピーマネジメントを行なう。一方、図１（ｂ）のように、記録機がＣＧＭＳ非対応の場合には、デジタルインターフェース（ここではＩＥＥＥ１３９４インターフェース）で送られた信号は（ａ）と同じであっても、それを取り込むことができないようにするものである。
【００１８】
ＩＥＥＥ１３９４シリアルバス上を伝送される伝送フレーム（アイソクロナスパケット）は図２のような構成をしており、デジタルオーディオ信号やデジタルビデオ信号などのリアルタイムデータを伝送する場合には、ＣＩＰヘッダと呼ばれるヘッダが付けられる。ＣＩＰヘッダのフォーマットを図３に示す。この図の（ａ）はタイムスンプ（ＳＹＴ）を付ける場合であり、（ｂ）は付けない場合である。
【００１９】
本実施の形態では、このＣＩＰヘッダの予約済（ｒｓｖ）の領域（２ビット）を用いて著作権保護情報をアイソクロナスパケット形式に構成されたデジタルビデオ信号等に付加するものである。具体的には、下記（１）又は（２）のようにする。
【００２０】
（１）コピーフリーを示すビットと、コンテンツの中に存在するＣＧＭＳ−Ｄのフラグを検知してそれに従うことを記録装置に指示するビットを、それぞれ１ビットずつアサインする。
【００２１】
（２）１ビットのみ用いて、０ならばコピーフリー、１ならばコンテンツの中のＣＧＭＳ−Ｄのフラグを検知してそれに従うよう記録装置に指示することを示す。
【００２２】
つまり、記録機がＣＧＭＳ対応機種の場合、ＣＩＰヘッダの予約済領域のビットがコピーフリーを示す状態であれば、そのままそのコンテンツのデータを取り込む。また、該ビットがＣＧＭＳ−Ｄのフラグを見てそれに従うことを示す状態であれば、ＣＧＭＳ−Ｄのフラグを取り込み、それに従ってコピーマネジメントの処理を行なう。なお、ＩＥＥＥ１３９４シリアルバス上を伝送された信号の種類によってＣＧＭＳ−Ｄのフラグの入っている場所が異なるので、ＣＩＰヘッダのＦＭＴ（フォーマットフィールド）により信号の種類を判別し、フラグの所在位置を確認する。例えば、ＤＶＣＲ（ＳＤ，ＨＤ）の再生信号ではＶＡＵＸ（ビデオ補助データ）にＣＧＭＳ−Ｄのフラグがあり、ディレクＴＶやＤＶＢなどのデジタル放送の受信信号の場合はＰＥＳヘッダにＣＧＭＳ−Ｄのフラグがある。記録機がＣＧＭＳ非対応機種の場合、ＣＩＰヘッダの予約済領域のビットがコピーフリーを示す状態であれば、そのままそのコンテンツのデータを取り込む。また、ＣＧＭＳ−Ｄのフラグを検知してそれに従うよう記録装置に指示することを示す状態であれば、記録機は入力されたコンテンツのデータの取り込みを行わない。
【００２３】
ＣＧＭＳ対応機、非対応機いずれの場合もＩＥＥＥ１３９４インターフェースのリンク層コントロールＩＣのハードウエアで上記の処理を行なう。つまりＣＧＭＳ対応機用リンク層コントロールＩＣ、非対応機用リンク層コントロールＩＣを用いてデジタルインターフェースにおける著作権保護を行なう。
【００２４】
図４はＣＧＭＳ対応機であるＤＶＣＲの内部の構成をリンク層コントロールＩＣ（以下ＬＩＮＫという）を中心に記載したものである。このＤＶＣＲは、物理層コントロールＩＣ（以下ＰＨＹという）１と、ＬＩＮＫ２と、マイクロプロセッサ３と、デジタルＶＣＲ信号処理系４と、ＰＬＬ５とを備えている。
【００２５】
ＰＨＹ１はバスの初期化や使用権の調停等を行う。また、ＬＩＮＫ２との間でデジタルビテオ信号等のデータ（ｄａｔａ）と各種制御信号（ｃｏｎｔｒｏｌ）の通信を行うとともにこれらのデータや制御信号をケーブルに対して送受信する。さらに、ＬＩＮＫ２にシステムクロック（ｓｙｓｃｌｋ）を供給する。ＬＩＮＫ２の詳細は後述する。マイクロプロセッサ３は、ＰＨＹ１及びＬＩＮＫ２の制御とアイソクロナス通信の帯域取得等を行う。デジタルＶＣＲ信号処理系４は、デジタルビデオ信号及びデジタルオーディオ信号の記録／再生処理を行う。ＰＬＬ５は、ＬＩＮＫ２からフレーム同期情報を受け取ってクロック信号（ｃｌｋ）を生成し、ＬＩＮＫ２とデジタルＶＣＲ信号処理系４に供給する。
【００２６】
ＬＩＮＫ２の内部は、アイソクロナス系、アシンクロナス系、及び基本ブロックに大別される。アイソクロナス系はデジタルビデオ信号等のデータをのせるアイソクロナスパケットの生成や解析等を行うブロックであり、アシンクロナス系は機器の制御等を行うコマンド等の制御信号をのせるアシンクロナスパケットの生成や解析等を行うブロックである。
【００２７】
アシンクロナス系は、マイクロプロセッサインターフェース６と、コントロールレジスタ７と、アシンクロナスパケット送信ＦＩＦＯ８と、アシンクロナスパケット受信ＦＩＦＯ９と、自己ＩＤパケット処理ブロック１０とから構成されている。
【００２８】
基本ブロック１１は、時計、ＣＲＣ、物理層インターフェース、送信ブロック、受信ブロック等を備えている。
【００２９】
アイソクロナス系は、デジタル信号処理インターフェース１２と、アイソクロナスパケット送受信ＦＩＦＯ１３と、ヘッダ，同期情報付加回路１４と、ヘッダ除去，同期情報復元回路１５と、コピーフリーフラグ処理ブロック１６と、ＣＧＭＳ処理ブロック１７と、スイッチＳＷとから構成されている。
【００３０】
マイクロプロセッサインターフェース６は、マイクロプロセッサ３との間で上位レイヤーの要求に応じたデータの送受信を行う。
【００３１】
コントロールレジスタ７には、マイクロプロセッサ３により所定の位置にデータが書き込まれ、ＬＩＮＫ２の動作が制御される。また、アシンクロナスパケットの送受信時では、所定のアドレスを読み書きすることにより行われる。さらに、アイソクロナスパケットのヘッダの一部はこのレジスタを介して送受信が行われる。
【００３２】
アシンクロナスパケット送信ＦＩＦＯ８には、マイクロプロセッサ３により作成されたパケットが一時的に格納される。格納されたパケットはバスが空きしだい基本ブロック１１により読み出される。
【００３３】
アシンクロナスパケット受信ＦＩＦＯ９には、バスから取り込まれたパケットが基本ブロック１１により書き込まれる。マイクロプロセッサ３はこのＦＩＦＯが空きでないことを確認した後、読み出しを行う。
【００３４】
自己ＩＤパケット処理ブロック１０は、バスの初期化処理中に受信されるノード情報を処理し、バスに接続されているノード数とバスのアイソクロナスチャンネルを管理するノードがどのノードであるか等の検知を行う。
【００３５】
基本ブロック１１の物理層インターフェースは、送信データのパラレル／シリアル変換と、受信データのシリアル／パラレル変換等を行う。また、送信ブロックは、バスの状況を判断し、パケットの送信を制御する。そして、受信ブロックは、受信したパケットの種類（アシンクロナス、アイソクロナス）に応じて書き込み先を決定する。
【００３６】
デジタル信号処理インターフェース１２は、送信時にはデジタルＶＣＲ信号処理系４のデータをアイソクロナスパケットの形式に変換し、受信時にはその逆の処理を行う。
【００３７】
アイソクロナスパケット送受信ＦＩＦＯ１３は、アイソクロナスパケットの送信／受信を兼用したＦＩＦＯであり、送信時はパケットが読み出せる限り、基本ブロック１１により読み出され、受信時はＦＩＦＯがあふれない範囲でパケットが書き込まれる。
【００３８】
ヘッダ，同期情報付加回路１４は、ＩＥＥＥ１３９４で規定されている情報をヘッダ部分（図２のデータフィールドの前）に書き込む。また、送信するビデオ信号のフレーム同期信号を、基本ブロック１１中の時計をもとに数値化し、特定のパケットに書き込む。
【００３９】
ヘッダ除去，同期情報復元回路１５は、ヘッダから情報を除去した後、データのみをアイソクロナスパケット送受信ＦＩＦＯ１３に書き込む。また、ＣＩＰヘッダ中の予約済領域のビットをコピーフリーフラグ処理ブロック１６へ送る。さらに、特定のパケットに数値化して書き込まれているフレーム同期情報から、基本ブロック１１中の時計をもとにフレーム同期信号を復元する。
【００４０】
コピーフリーフラグ処理ブロック１６は、ヘッダ除去，同期情報復元回路１５から受け取った予約済領域のビットがコピーフリーを示すものであればスイッチＳＷを端子ａ側に切り換え、ＣＧＭＳ−Ｄのフラグを見てそれに従うことを示すものであればスイッチＳＷを端子ｂ側に切り換える。
【００４１】
ＣＧＭＳ処理ブロック１７は、デジタル信号処理インターフェース１２から出力され、スイッチＳＷを通って入力されるデジタルビデオ信号からＣＩＰヘッダ中のＦＭＴを分離し、デジタルビデオ信号及びデジタルオーディオ信号と共にデジタルＶＣＲ信号処理系４に送る。
【００４２】
したがって、ＣＩＰヘッダ中の予約済領域のビットがＣＧＭＳ−Ｄのフラグを見てそれに従うことを示すものであれば、デジタルＶＣＲ信号処理系４には、デジタル信号処理インターフェース１２からデジタルビデオ信号及びデジタルオーディオ信号が供給されるとともに、ＣＧＭＳ処理ブロック１７からＦＭＴが供給される。デジタルＶＣＲ信号処理系４は、このＦＭＴを見てＣＧＭＳ−Ｄのフラグが入っている場所（ＤＶＣＲの再生信号であればＶＡＵＸデータ、デジタルテレビ放送信号であればＰＥＳヘッダ）を識別し、そのＣＧＭＳ−Ｄのフラグに従った記録処理を行う。
【００４３】
これに対して、ＣＩＰヘッダ中の予約済領域のビットがコピーフリーを示すものであれば、デジタルＶＣＲ信号処理系４には、デジタル信号処理インターフェース１２からデジタルビデオ信号及びデジタルオーディオ信号が供給されるのみなので、デジタルＶＣＲ信号処理系４はそのまま記録処理を行う。
【００４４】
以上、図４を参照しながらＣＧＭＳ対応機について説明した。ＣＧＭＳ非対応機は、図４からＣＧＭＳ処理ブロック１７を除去し、かつデジタル信号処理インターフェース１２とデジタルＶＣＲ信号処理系４との間の信号線を双方向の信号線とし、コピーフリーフラグ処理ブロック１６の制御によりオン／オフされるスイッチＳＷをこの双方向の信号線に設ければよい（図５）。
【００４５】
なお、本実施の形態では著作権保護情報をＣＩＰヘッダのｒｓｖ領域内に設けたが、これ以外の領域（例えばヘッダ情報内のｓｙ領域等）に設けることも可能である。
【００４６】
【発明の効果】
以上詳細に説明したように、本発明によれば、正しいコピーマネジメントを行なう機器のみがデジタルインターフェースから信号を取り込み、記録することが可能となる。
【図面の簡単な説明】
【図１】本発明を適用したシステムの動作を示す図である。
【図２】アイソクロナスパケットの構成を示す図である。
【図３】ＣＩＰヘッダのフォーマットを示す図である。
【図４】ＣＧＭＳ対応機であるＤＶＣＲの内部の構成をＬＩＮＫを中心に記載した図である。
【図５】ＣＧＭＳ非対応機であるＤＶＣＲの要部の構成を示す図である。
【符号の説明】
１…再生機、２…ＣＧＭＳ対応記録機、３…ＩＥＥＥ１３９４シリアルバス、４…ＣＧＭＳ非対応記録機、１６…コピーフリーフラグ処理ブロック、１７…ＣＧＭＳ処理ブロック、ＳＷ…スイッチ
【図１】
0003941178.tif 000002
【図２】
0003941178.tif 000003
【図３】
0003941178.tif 000004
【図４】
0003941178.tif 000005
【図５】
0003941178.tif 000006